(57)【要約】【課題】収容効率の高いリング型ネットワークシステムを提供する。【解決手段】リング・プロテクションが実装された複数のＬ２スイッチ１１〜１４を有するリング型ネットワークにおいて、第１のＬ２スイッチ・第２のＬ２スイッチ間の第１の経路及び第２の経路を互いに物理リンクの重複がないように算出し、第１の経路に対応する第１の仮想網識別子＃ア及び第２の経路に対応する第２の仮想網識別子＃イを割り当てる。各Ｌ２スイッチ１１〜１４は、フレームから仮想網識別子を抽出し、該仮想網識識別子に対応する設定情報に基づきフレームのスイッチング処理を行う。【選択図】図１
2013005143.tif 000002
【特許請求の範囲】
【請求項１】
リング・プロテクションが実装された複数のＬ２スイッチと各Ｌ２スイッチをリング状に接続する物理リンクとを備えたリング型ネットワークと、各Ｌ２スイッチを制御するネットワーク管理装置とを備えたリング型ネットワークシステムにおいて、
前記ネットワーク管理装置は、第１のＬ２スイッチ・第２のＬ２スイッチ間の第１の経路及び第２の経路を互いに物理リンクの重複がないように算出するとともに第１の経路に対応する第１の仮想網識別子及び第２の経路に対応する第２の仮想網識別子を割り当てる経路算出手段と、第１のＬ２スイッチから第２のＬ２スイッチへのフレーム又は第２のＬ２スイッチから第１のＬ２スイッチへのフレームが第１又は第２の経路を流通するための各仮想網識別子毎の設定情報を各Ｌ２スイッチに配布する設定情報配布手段を備え、
各Ｌ２スイッチは、ネットワーク管理装置から受領した設定情報を記憶する記憶手段と、隣接する他のＬ２スイッチ又は自身に収容されたアクセス回線からのフレームから仮想網識別子を抽出し、該仮想網識識別子に対応する設定情報に基づきフレームのスイッチング処理を行うスイッチング手段とを備えた
ことを特徴とするリング型ネットワークシステム。
【請求項２】
第１のＬ２スイッチのスイッチング手段及び第２のＬ２スイッチのスイッチング手段は、故障発生時には第１の仮想網識別子に係るフレームと第２の仮想網識別子に係るフレームの合計トラヒックが所定の上限値を超える場合には、上限を超えるフレームは転送しない処理を行う
ことを特徴とする請求項１記載のリング型ネットワークシステム。
【請求項３】
第１の拠点の第１のＬＡＮがアクセス回線を介して第１のＬ２スイッチに収容されており、第２の拠点の第２のＬＡＮがアクセス回線を介して第２のＬ２スイッチに収容されており、
アクセス回線を収容する第１又は第２のＬ２スイッチは、アクセス回線からの同一宛先の各フレームに対して、それぞれ第１又は第２の仮想網識別子の何れかを所定のルールに基づき選択し、選択した第１又は第２の仮想網識別子を各フレームヘッダに追加してリング型ネットワークに送出するとともに、リング型ネットワークからアクセス回線へのフレームのフレームヘッダから第１又は第２の仮想網識別子を取り除いて第１又は第２のＬＡＮへ送出するフレーム処理手段を備えた
ことを特徴とする請求項１又は２記載のリング型ネットワークシステム。
【請求項４】
第１の拠点の第１のＬＡＮがアクセス回線を介して第１のＬ２スイッチに収容されており、第２の拠点の第２のＬＡＮがアクセス回線を介して第２のＬ２スイッチに収容されており、
第１又は第２のＬＡＮとアクセス回線との境界に配置された回線終端装置は、第１又は第２のＬＡＮからリング型ネットワークに送出される同一宛先の各フレームに対して、それぞれ第１又は第２の仮想網識別子の何れかを所定のルールに基づき選択し、選択した第１又は第２の仮想網識別子を各フレームヘッダに追加してリング型ネットワークに送出するとともに、リング型ネットワークから第１又は第２のＬＡＮへのフレームのフレームヘッダから第１又は第２の仮想網識別子を取り除いて第１又は第２のＬＡＮへ送出するフレーム処理手段を備えた
ことを特徴とする請求項１又は２記載のリング型ネットワークシステム。
【請求項５】
第１の拠点の第１のＬＡＮがアクセス回線を介して第１のＬ２スイッチに収容されており、第２の拠点の第２のＬＡＮがアクセス回線を介して第２のＬ２スイッチに収容されており、
第１又は第２のＬＡＮに収容された端末は、リング型ネットワークに送出する同一宛先の各フレームに対してそれぞれ第１又は第２の仮想網識別子の何れかを所定のルールに基づき選択し、選択した第１又は第２の仮想網識別子を各フレームヘッダに追加してリング型ネットワークに送出するフレーム処理手段を備えた
ことを特徴とする請求項１又は２記載のリング型ネットワークシステム。
【請求項６】
リング・プロテクションが実装された複数のＬ２スイッチと各Ｌ２スイッチをリング状に接続する物理リンクとを備えたリング型ネットワークにおける各Ｌ２スイッチを制御するネットワーク管理装置であって、
第１のＬ２スイッチ・第２のＬ２スイッチ間の第１の経路及び第２の経路を互いに物理リンクの重複がないように算出するとともに第１の経路に対応する第１の仮想網識別子及び第２の経路に対応する第２の仮想網識別子を割り当てる経路算出手段と、
第１のＬ２スイッチから第２のＬ２スイッチへのフレーム又は第２のＬ２スイッチから第１のＬ２スイッチへのフレームが第１又は第２の経路を流通するための各仮想網識別子毎の設定情報を各Ｌ２スイッチに配布する設定情報配布手段を備えた
ことを特徴とするネットワーク管理装置。
【請求項７】
複数のＬ２スイッチを物理リンクによりリング状に接続してなるリング型ネットワークにおけるＬ２スイッチであって、
リング・プロテクションに係る複数の設定情報であってそれぞれ仮想網識別子により識別可能な設定情報を記憶する記憶手段と、
隣接する他のＬ２スイッチからのフレームから仮想網識別子を抽出し、該仮想網識別子に対応する設定情報に基づきフレームのスイッチング処理を行うスイッチング手段と、
自身に収容されたアクセス回線からの同一宛先のフレームに対して、第１又は第２の仮想網識別子の何れかを所定のルールに基づき選択し、選択した第１又は第２の仮想網識別子をフレームヘッダに追加して前記スイッチング手段に送出するとともに、アクセス回線へのフレームのフレームヘッダから第１又は第２の仮想網識別子を取り除いてアクセス回線に送出するフレーム処理手段を備えた
ことを特徴とするＬ２スイッチ。
【発明の詳細な説明】
【技術分野】
【０００１】
本発明は、Ｌ２スイッチをリング状に接続することにより冗長性を持たせたリング型ネットワークシステムに関し、特に該ネットワーク上におけるフレームの通信経路に関するものである。
【背景技術】
【０００２】
イーサネット（登録商標）技術は、ＬＡＮ（Local Area Network）における物理層／データリンク層の規定としてＩＥＥＥ８０２．３で標準化されており、構内ＬＡＮなどで広く普及している。近年、当該イーサネット技術を、キャリアにおける基幹網や中継網など広域ネットワーク（ＷＡＮ：Wide Area Network）に適用することが提案されている。このような用途においては高い耐障害性が求められており、該要求を満たす技術として  Ｌ２（Ｌａｙｅｒ２）スイッチをリング状に接続することにより冗長性を持たせるリング型ネットワークが提案されている。このようなリング型ネットワークでは、フレームループの防止・故障発生時や復旧時の経路切替えなどを規定したリング・プロテクションと呼ばれる技術が必須要件となる。例えば非特許文献１に示すように、ＩＴＵ−Ｔ  Ｒｅｃ．  Ｇ．８０３２／Ｙ．１３４４ではＥＲＰ（Ethernet Ring Protection switching）と呼ばれるイーサネット（登録商標）におけるリング・プロテクションが提案されている。
【０００３】
このリング・プロテクション技術では、リングを構成するノード装置である複数のＬ２スイッチについて、各Ｌ２スイッチのポートの閉塞／開放を制御することによりフレームのループ障害発生を防止するとともに経路を切り替えている。
【０００４】
最も単純なシングルリンク構成の場合、通常時は、ある１つのＬ２スイッチ一方のポートを閉塞することによりフレームのループ障害が発生することを防止している。この通常時における閉塞ポートを有するＬ２スイッチをＲＰＬ（Ring Protection Link）  Ｏｗｎｅｒと呼ぶ。各Ｌ２スイッチは、各ポートから流入するフレームの宛先ＭＡＣアドレス及び発信元ＭＡＣアドレスを参照し、ＦＤＢ（Forwarding Data Base）を作成することにより、フレームのスイッチング処理を学習する。これにより、第１のＬ２スイッチから第２のＬ２スイッチまでのフレームの通信経路が自動的に決定される。Ｌ２スイッチ間の物理リンクの故障が生じた場合には、前記ＲＰＬ  Ｏｗｎｅｒのポート閉塞を解除し、故障が発生した物理リンクの両端のＬ２スイッチの当該故障発生側のポートをそれぞれ閉塞するとともに、各Ｌ２スイッチにおけるＦＤＢを初期化する。これにより、故障時における迂回経路が自動的に構築される。なお、ここでは説明を省略するが前記リング・プロテクション技術ではマルチリング構成の場合についても提案されている。
【先行技術文献】
【非特許文献】
【０００５】
【非特許文献１】丸吉政博，"ＩＴＵ−Ｔ  ＳＧ１５におけるイーサネットリングプロテクション標準化動向"，信学技報，ＩＥＩＣＥ  Ｔｅｃｈｎｉｃａｌ  Ｒｅｐｏｒｔ，ＣＳ２００８−６９（２００９−１）
【発明の概要】
【発明が解決しようとする課題】
【０００６】
上述のようにリング型ネットワークを広域ネットワークで用いる場合には、Ｌ２スイッチと利用者のネットワークとをアクセス回線で接続する。近年、該アクセス回線の高速化が急速に進んできている一方、広域ネットワーク側では構築コストを抑えるために複数の利用者のトラヒックを集約した構成にする場合が多いため、アクセス回線の高速化に比して通信帯域の確保ができずにボトルネックとなる場合があった。
【０００７】
その要因の一つとしては、上述のようなリング型ネットワークでは、故障時に確保される通信経路は正常時では利用が少なく通信帯域に空きが生じている、換言すれば収容効率が低いというところにある。
【０００８】
本発明は、上記事情に鑑みてなされたものであり、その目的とするところは、収容効率の高いリング型ネットワークシステムを提供することにある。
【課題を解決するための手段】
【０００９】
上記目的を達成するために、本発明では、リング・プロテクションが実装された複数のＬ２スイッチと各Ｌ２スイッチをリング状に接続する物理リンクとを備えたリング型ネットワークと、各Ｌ２スイッチを制御するネットワーク管理装置とを備えたリング型ネットワークシステムにおいて、前記ネットワーク管理装置は、第１のＬ２スイッチ・第２のＬ２スイッチ間の第１の経路及び第２の経路を互いに物理リンクの重複がないように算出するとともに第１の経路に対応する第１の仮想網識別子及び第２の経路に対応する第２の仮想網識別子を割り当てる経路算出手段と、第１のＬ２スイッチから第２のＬ２スイッチへのフレーム又は第２のＬ２スイッチから第１のＬ２スイッチへのフレームが第１又は第２の経路を流通するための各仮想網識別子毎の設定情報を各Ｌ２スイッチに配布する設定情報配布手段を備え、各Ｌ２スイッチは、ネットワーク管理装置から受領した設定情報を記憶する記憶手段と、隣接する他のＬ２スイッチ又は自身に収容されたアクセス回線からのフレームから仮想網識別子を抽出し、該仮想網識識別子に対応する設定情報に基づきフレームのスイッチング処理を行うスイッチング手段とを備えたことを特徴とする。
【００１０】
すなわち本発明では、仮想網を識別する仮想網識別子を同一の利用者に複数付与し、該仮想網識別子によりＷＡＮ側の経路が異なるネットワークを構築するものである。利用者は、同一の送信先であっても、フレームによって仮想網識別子を切り替えてリング型ネットワークに送出することにより、単一のアクセス回線であっても複数の経路を同時に利用することができるようになる。リング型ネットワークにおいて、第１の仮想網識別子には通常の（現用の）経路を割り当てるとともに、第２の仮想網識別子には前記通常の経路に故障が生じたときに形成される迂回経路を割り当てる。これにより本発明では、リング型ネットワークにおいて複数の経路を同時に利用することができるので収納効率が向上する。
【発明の効果】
【００１１】
以上説明したように本発明によれば、リング型ネットワークにおいて複数の経路を同時に利用することができるので収納効率が向上する。
【図面の簡単な説明】
【００１２】
【図１】第１の実施の形態に係るネットワーク図
【図２】第２の実施の形態に係るネットワーク図
【発明を実施するための形態】
【００１３】
（第１の実施の形態）
本発明の第１の実施の形態について図面を参照して説明する。図１は第１の実施の形態に係るネットワーク図である。本実施の形態に係るリング型ネットワークシステムは、リング型ネットワークを構成するノード装置である複数のＬ２スイッチ１１〜１４及び各Ｌ２スイッチ１１〜１４をリング状に接続する物理リンクである中継回線３１〜３４と、各Ｌ２スイッチ１１〜１４の動作を制御管理するネットワーク管理装置５１とを備えている。Ｌ２スイッチ１１にはアクセス回線６１を介して拠点ＡのＬＡＮ８０が収容されている。またＬ２スイッチ１３にはアクセス回線６２を介して拠点ＢのＬＡＮ９０が収容されている。リングを構成する中継回線３１〜３４におけるユーザ単位の通信帯域（論理帯域）は、アクセス回線６１，６２の物理帯域に比して、例えば２分の１等、少ない帯域で構築される。
【００１４】
本実施の形態では、各Ｌ２スイッチ１１〜１４はＩＥＥＥ８０２．１Ｑ等で定められた仮想ネットワークの技術を適用したイーサネット（登録商標）の規格に準拠する。またＬ２スイッチ１１〜１４は、ＩＴＵ−Ｔ  Ｒｅｃ．  Ｇ．８０３２／Ｙ．１３４４等のイーサネット（登録商標）のリング・プロテクションが適用・実装されている。
【００１５】
本願発明では、リング型ネットワークにおける通常時の（現用時の）経路を構築するネットワークに対して第１の仮想ネットワークＩＤを割り当てる。また、現用経路（第１の経路）が故障したと仮定した場合にリング・プロテクションによって形成される切替先の迂回経路について、当該迂回経路（第２の経路）を通常時に（現用時に）構築するネットワークに対して第２の仮想ネットワークＩＤを割り当てる。ここで留意すべき点は、両経路は互いに重複する中継回線が含まれないようにすることである。本実施の形態では上述したようにＩＥＥＥ８０２．１Ｑ等で定められたイーサネット（登録商標）のＶＬＡＮ−ＩＤを用いる。
【００１６】
ネットワーク管理装置５１は、拠点Ａと拠点Ｂとの間の第１の経路及び第２の経路を算出してそれぞれ第１の仮想ネットワークＩＤ，第２の仮想ネットワークＩＤを割り当てる経路算出部５１ａを備えている。またネットワーク管理装置５１は、リング型ネットワークにおいて前記第１の経路と第２の経路が構築するための設定情報を各Ｌ２スイッチ１１〜１４に対して配布する設定情報配布部５１ｂとを備えている。該設定情報は、第１の経路及び第２の経路毎に作成されており、それぞれ第１の仮想ネットワークＩＤ及び第２の仮想ネットワークＩＤにより識別される。
【００１７】
各Ｌ２スイッチ１１〜１４は同一の構成なのでここではＬ２スイッチについてのみ詳述する。Ｌ２スイッチ１１は、ネットワーク管理装置５１から受領した設定情報を記憶する記憶部１１ａと、該記憶部１１ａに記憶された設定情報に基づきスイッチング処理を行うスイッチング処理部１１ｂとを備えている。スイッチング処理部１１ｂは、何れかのポートから受信したフレームに含まれる仮想ネットワークＩＤを識別し、該仮想ネットワークＩＤに対応する設定情報にしたがってスイッチング処理を行う。
【００１８】
以下、図１に基づき具体的に説明する。図１に示すリング型ネットワークにおいては拠点Ａから拠点Ｂへのフレームの経路が、リング・プロテクションにより正常時と故障時とでは逆回りになることを利用して第１の経路及び第２の経路を算出する。すなわち、拠点Ａから拠点Ｂへのフレームについては、拠点Ａから、Ｌ２スイッチ１１，Ｌ２スイッチ１２，Ｌ２スイッチ１３の経路を通って拠点Ｂに至る右回りの経路を第１の経路として算出する。このような経路を正常時の（現用の）経路とすると、リング・プロテクションにより故障時に切替先となる迂回経路は、拠点Ａから、Ｌ２スイッチ１１，Ｌ２スイッチ１４，Ｌ２スイッチ１３の経路を通って拠点Ｂに至る左回りの経路となるので、該迂回経路を第２の経路とする。なお、第１の経路については、拠点Ａから拠点Ｂへのフレームは右回りとなるが拠点Ｂから拠点Ａへのフレームは左回りになること、第２の経路については、拠点Ａから拠点Ｂへのフレームは左回りとなるが拠点Ｂから拠点Ａへのフレームは右回りになることに留意されたい。
【００１９】
ネットワーク管理装置５１の経路算出部５１ａは、このような第１の経路及び第２の経路を算出して、それぞれの経路に異なるＶＬＡＮ−ＩＤを割り当てる。図１の例では、故障が発生していない状態において、第１の経路にトラヒックを流すＶＬＡＮを＃ア、第２の経路にトラックを流すＶＬＡＮを＃イとして割り当てる。
【００２０】
ネットワーク管理装置５１の設定情報配布部５１ｂは、リング型ネットワークにおいて拠点Ａから拠点Ｂ側に転送されるフレームが、ＶＬＡＮ−ＩＤ＃アのフレームは右回りの経路が選択されるように、ＶＬＡＮ−ＩＤ＃イのフレームは左回りの経路が選択されるように、リングを構成する各Ｌ２スイッチ１１〜１４用にＶＬＡＮ−ＩＤごとに設定情報を作成し、各Ｌ２スイッチ１１〜１４に配布する。図１の例では、ＶＬＡＮ−ＩＤ＃アについては、Ｌ２スイッチ１１がＲＰＬ  Ｏｗｎｅｒであり、Ｌ２スイッチ１１のＬ２スイッチ１４側ポートを閉塞したリング型ネットワークを構築するよう設定情報を作成する。また、ＶＬＡＮ−ＩＤ＃イについては、Ｌ２スイッチ１１がＲＰＬ  Ｏｗｎｅｒであり、Ｌ２スイッチ１１のＬ２スイッチ１２側ポートを閉塞したリング型ネットワークを構築するよう設定情報を作成する。なお、図１においては図面を簡略化するため、ＶＬＡＮ−ＩＤ＃アについての閉塞ポートのみを記載し、ＶＬＡＮ−ＩＤ＃イについての閉塞ポートの記載は省略したので注意されたい。
【００２１】
各Ｌ２スイッチ１１〜１４は、上記ＶＬＡＮ−ＩＤ毎の設定情報を記憶部に記憶し、スイッチング処理部はフレームに含まれるＶＬＡＮ−ＩＤ毎に対応する設定情報に基づきスイッチング処理を行う。これにより、通信が開始されると、全Ｌ２スイッチにおいてＶＬＡＮ−ＩＤ毎にイーサネット（登録商標）のＭＡＣアドレスが学習され、ＶＬＡＮ−ＩＤ＃Ａが付されたフレームは第１の経路上を、ＶＬＡＮ−ＩＤ＃イが付されたフレームは第２の経路上に転送される。
【００２２】
リング型ネットワークを構成するＬ２スイッチ１１〜１４が中継回線の故障を検知すると、リング・プロテクションにより故障で不通となった箇所のポートを閉塞し、正常時に閉塞されたポートが開放され、結果として第１の経路又は第２の経路のどちらか一方に片寄せした通信経路にてフレームが転送される。換言すれば、ＶＬＡＮ−ＩＤ＃アが付されたフレームと、ＶＬＡＮ−ＩＤ＃イが付されたフレームの双方が、第１の経路又は第２の経路のどちらか一方に転送されるようになる。
【００２３】
そこで、経路が片寄せになった際に流れるＶＬＡＮ−ＩＤ＃アと＃イの流量を足し合わせた上限を、アクセス回線６１，６２を収容するＬ２スイッチ１１，１３に設定する。Ｌ２スイッチ１１，１３のスイッチング処理部は、出力する中継回線ごとにＶＬＡＮ−ＩＤ＃アと＃イを合計するトラヒックにて、上限を超えるフレームを転送しない処理を行う。
【００２４】
このような構成により、正常時においては、ＶＬＡＮ−ＩＤ＃アと＃イで出力先の中継回線が別であり、出力先の中継回線ごとにトラヒックの上限を設けているため、ＶＬＡＮ−ＩＤ＃アのフレームを転送する際にＶＬＡＮ−ＩＤ＃イのフレームのトラヒックの影響を受けることなく、ＶＬＡＮ−ＩＤ＃アのフレームのみで上限までトラヒックを流すことが可能になる。同様に、ＶＬＡＮ−ＩＤ＃イのフレームにおいても、正常時はＶＬＡＮ−ＩＤ＃アの流量の影響を受けることなく、第１の経路からみると迂回経路に相当する中継回線にＶＬＡＮ−ＩＤ＃アと＃イの合計の上限に達するまでフレームを転送することができる。
【００２５】
本発明に係るリング型ネットワークシステムにおいては、アクセス回線６１とＬ２スイッチ１１との境界点又は拠点ＡのＬＡＮ８０とアクセス回線６１の境界点或いはＬＡＮ８０内の端末において、及び、アクセス回線６２とＬ２スイッチ１３との境界点又は拠点ＢのＬＡＮ９０とアクセス回線６２の境界点或いはＬＡＮ９０内において、フレームにＶＬＡＮ−ＩＤを付与又は除去するＶＬＡＮ−ＩＤ処理手段が必要となる。該ＶＬＡＮ−ＩＤ処理手段は、Ｌ２スイッチ１１，１３に設けても良いし、例えばアクセス回線６１，６２の回線終端装置（アクセス装置）に設けても良いし、通信の主体となるＬＡＮ８０，９０内の端末、換言すればフレームを生成するＬＡＮ８０，９０内の端末に内蔵させても良い。該ＶＬＡＮ−ＩＤ処理手段は、拠点側からリング型ネットワークに流れるフレームに対しては、ＶＬＡＮ−ＩＤ＃アと＃イを振り分けて付与するとともに、リング型ネットワークから流れてきたフレームからＶＬＡＮ−ＩＤを除去する。振り分けのアルゴリズについては、例えば、フレームの流量が所定値以下の場合には全てのフレームにＶＬＡＮ−ＩＤ＃ア又は＃イの何れか一方を付与するが、フレームの流量が所定値を超えた場合には転送するフレーム列に対してＶＬＡＮ−ＩＤ＃ア又は＃イを交互に付与する、という方法が挙げられる。これにより、拠点Ａにある端末から拠点Ｂの端末と通信する際、同一の宛先（ＭＡＣアドレス）に対してフレームを送信しても、ＶＬＡＮ−ＩＤ処理手段により異なるＶＬＡＮ−ＩＤが付与されるため、第１の経路と第２の経路の両方の経路にフレームを流すことが可能になる。
【００２６】
なお、中継回線に故障が発生し経路が一方に片寄せした場合には、リング・プロテクションにより中継回線を構成する装置において自動的に経路が迂回経路に切り替わるため、拠点Ａ、Ｂにおける各装置ではＶＬＡＮ−ＩＤの付与ルールを変更するなどの設定変更を行うことなく継続した通信が可能である。
【００２７】
本実施の形態に係るリング型ネットワークシステムは下記のような有利な効果を有する。すなわち、アクセス回線に比して中継回線の帯域が少ない帯域でリング型ネットワークが構築されていた場合、従来技術では中継回線がボトルネックとなり、拠点Ａから拠点Ｂへの通信は、中継回線１本分の帯域の通信となる。しかし、本実施の形態によれば、拠点から送信するフレームに第１又は第２の経路用のＶＬＡＮ−ＩＤを均等に割り振ると、中継回線２本分の帯域にて通信が可能となる。すなわち収容効率が向上する。ただし、中継回線の故障等により経路が片寄せになった場合は、中継回線の１本分の帯域に落ちる。
【００２８】
（第２の実施の形態）
本発明の第１の実施の形態について図面を参照して説明する。図２は第２の実施の形態に係るネットワーク図である。上記第１の実施の形態ではリングが一つで１対１の通信の例である。一方、本実施の形態は、図２に示すようにリングが多段で拠点数が３以上の場合の例である。なお、各装置の構成・機能については第１の実施の形態と同じである。
【００２９】
本実施の形態において、ネットワーク管理装置５１の経路算出部５１ａは、多段のリングにおいて、拠点Ａから拠点Ｂへのフレームがリング全体で右回りとなる経路を第１の経路として算出するとともに左回りとなる経路を第２の経路として算出し、それぞれの経路に各々に異なるＶＬＡＮ−ＩＤを付与する。そして、ネットワーク管理装置５１の設定情報配布部５１ｂは、多段のリングを構成する各Ｌ２スイッチ１１〜１７に対して、拠点Ａから拠点Ｂ側に転送されるフレームが、それぞれ第１の経路又は第２の経路で転送されるよう設定情報を作成・配布する。
【００３０】
各通信経路を構成するＬ２スイッチ１１〜１７においては、ＶＬＡＮ−ＩＤ個々ではなく第１の経路又は第２の経路用の複数のＶＬＡＮ−ＩＤでまとめてトラヒックの制御を行い、拠点Ａ，Ｂ側ではＶＬＡＮ−ＩＤを振り分ける手段を設けることにより、第１の経路と、該第１の経路を現用とした場合の迂回路であり第１の経路の裏返しとなる第２の経路という２本の通信経路を同時に利用可能となる。
【００３１】
図２の例では、第１の経路は、拠点Ａから拠点Ｂへのフレームは、全リングで右回りの経路となるように選択しており、拠点ＡからＬ２スイッチ１１，Ｌ２スイッチ１２，Ｌ２スイッチ１３，Ｌ２スイッチ１４を通り拠点Ｂに転送される。第２の経路は、第１の経路に故障が生じた場合の迂回路に対応するものであり、拠点ＡからＬ２スイッチ１１，Ｌ２スイッチ１７，Ｌ２スイッチ１６，Ｌ２スイッチ１５，Ｌ２スイッチ１４を通り拠点Ｂにフレーム転送される。なお、図２においては図面を簡略化するため、第１の経路に係るＶＬＡＮ−ＩＤ＃アについての閉塞ポートのみを記載し、第２の経路に係るＶＬＡＮ−ＩＤ＃イについての閉塞ポートの記載は省略したので注意されたい。
【００３２】
ところで、複数のリングを通るひとつのＶＬＡＮ−ＩＤの経路において、右回りと左回りの経路が混在すると、正常時において、右回りと左回りの経路が切り替わる回線上で第１の経路と第２の経路のトラヒックの両方が同一回線上に流れるため、当該回線上の帯域がボトルネックとなる。
【００３３】
例えば、図２において、拠点Ａから拠点Ｂのフレームについて、第１の経路としてリング＃ａ，＃ｃでは右回りの経路を選択しリング＃ｂのみ左回りの経路とすると、正常時にフレームが流れる経路は、拠点ＡからＬ２スイッチ１１，Ｌ２スイッチ１２，Ｌ２スイッチ１７，Ｌ２スイッチ１６，Ｌ２スイッチ１３，Ｌ２スイッチ１４の経路を通り拠点Ｂに転送される。第１の経路に対する迂回経路は、拠点ＡからＬ２スイッチ１１，Ｌ２スイッチ１７，Ｌ２スイッチ１２，Ｌ２スイッチ１３，Ｌ２スイッチ１６，Ｌ２スイッチ１５，Ｌ２スイッチ１４そして拠点Ｂの順の経路となる。この場合、図２において縦線で示されるＬ２スイッチ１２とＬ２スイッチ１７間の中継回線３８、Ｌ２スイッチ１３とＬ２スイッチ１６間の中継回線３９において、第１の経路と第２の経路のトラヒックが重なる。そのため、ネットワーク管理システムにおいて、ある拠点から拠点へのフレームについて、ひとつのＶＬＡＮ−ＩＤの経路において、右回り又は左回りの何れか一方に揃える経路を計算することを特徴とする。
【００３４】
このように経路を算出・設定することにより、図２の例においても、第１の経路と該第１の経路に対して迂回路である第２の経路を同時に２本に利用できるため、故障時は１本分の速度となるものの、正常時は中継回線２本分の帯域を利用可能となる。
【００３５】
以上本発明の実施の形態について詳述したが本発明はこれに限定されるものではない。例えば、上記各実施形態では、フレームに仮想ネットワークＩＤを付与する技術としてＶＬＡＮ−ＩＤを用いたＩＥＥＥ８０２．１Ｑの規格を例示したが、他の規格であっても本発明は適用できる。また、上記各実施形態では、リング型ネットワークにけるリング・プロテクション技術としてＩＴＵ−Ｔ  Ｒｅｃ．  Ｇ．８０３２／Ｙ．１３４４の規格を例示したが、他の規格であっても本発明は適用できる。
【符号の説明】
【００３６】
１１〜１７…Ｌ２スイッチ、１１ａ…記憶部、１１ｂ…スイッチング処理部、３１〜３９…中継回線、５１…ネットワーク管理装置、５１ａ…経路算出部、５１ｂ…設定情報配布部、６１〜６３…アクセス回線、８０，９０，１００…ＬＡＮ
【図１】
2013005143.tif 000003
【図２】
2013005143.tif 000004